(57)【要約】【課題】従来パーソナルデジタルアシスタント（ＰＤＡ）の着脱可能パネル着脱過程に多重手順と、着脱可能パネルの変形や可能な損傷などの問題を解決し、より簡単でワンステップでパネルを着脱する機構は着脱可能パネルの損傷率を低める。【解決手段】ＰＤＡ４０に凹部６４があり、凹部６４に結合穴５２と孔５７がある。着脱可能パネル４５に結合フック５０と位置決め棒５５がある。着脱可能パネル４５が凹部６４に滑り込まれる過程において、結合フック５０が結合穴５２にはめられ、着脱可能パネル４５の弾性が位置決め棒５５を孔５７に差し込む。ＰＤＡ４０は更に位置決め棒５５に隣り合った凹部６４の一端にオープンホール６５がある。それに先細の道具７０を入れて位置決め棒５５を持ち上げることによって、着脱可能パネル４５が滑り出され、ＰＤＡ４０から取り外される。【選択図】　　図２
0003097092.tif 000002
【実用新案登録請求の範囲】
【請求項１】
パーソナルデジタルアシスタントであって、
外表面に凹部をもち、上記凹部に結合穴と孔が設けられるハウジングと、
上記結合穴にはめ込む結合フックと、上記孔に差し込む位置決め棒とを具える着脱可能パネルとを含んでなり、
上記結合フックと上記結合穴との結合及び上記位置決め棒を上記孔に差し込むことにより、上記着脱可能パネルが上記ハウジングと結合され、上記孔に差し込む上記位置決め棒が上記着脱可能パネルの上記ハウジングに対する水平偏移を防ぎ、上記結合フックが上記結合穴から外れないようにするために用いられることを特徴とするパーソナルデジタルアシスタント。
【請求項２】
上記ハウジングは、更にオープンホールを含み、上記オープンホールが上記凹部の側部にあり、先細のものが上記オープンホールに差し込まれる場合、上記位置決め棒が上記孔から外され、上記結合フックが上記結合穴から外されうることを特徴とする請求項１記載のパーソナルデジタルアシスタント。
【請求項３】
上記位置決め棒は、上記着脱可能パネルから突き出ることを特徴とする請求項１記載のパーソナルデジタルアシスタント。
【請求項４】
パーソナルデジタルアシスタントであって、
外表面をもち、上記外表面に結合穴と孔が設けられるハウジングと、
上記結合穴にはめ込む結合フックと、上記孔に差し込む位置決め棒とを具える着脱可能パネルとを含んでなり、
上記結合フックと上記結合穴との結合及び上記位置決め棒を上記孔に差し込むことにより、上記着脱可能パネルが上記ハウジングと結合され、上記孔に差し込む上記位置決め棒が着脱可能パネルの上記ハウジングに対する水平偏移を防ぎ、上記結合フックが上記結合穴から外れないようにするために用いられることを特徴とするパーソナルデジタルアシスタント。
【請求項５】
上記ハウジングは、更にオープンホールを含み、上記オープンホールが上記凹部の側部にあり、先細のものが上記オープンホールに差し込まれる場合、上記位置決め棒が上記孔から外され、上記結合フックが上記結合穴から外されることができることを特徴とする請求項４記載のパーソナルデジタルアシスタント。
【請求項６】
上記位置決め棒は、上記着脱可能パネルから突き出ることを特徴とする請求項４記載のパーソナルデジタルアシスタント。
【考案の詳細な説明】
【０００１】
【考案の属する技術分野】
この考案はパーソナルデジタルアシスタント（以下ＰＤＡと称する）に関し、特に着脱可能パネルを具えるＰＤＡに関する。
【０００２】
【従来の技術】
現代社会において、ＰＤＡのようないつでも使える電子デバイスは要求される。パーソナルデジタルアシスタントはその名前の通りに、使用者に計り知れない利益を提供するものである。
【０００３】
使用者の需要以外、現代社会は個性表現を促し、ほぼすべての製品はカラーとデザインを個人により選択することが可能であり、ＰＤＡもその一例である。使用者はカラーとデザインの選択を要求し、むしろ、その時の好みに応じて簡単かつ迅速に変えられる選択を要求するものである。
【０００４】
使用者が選択性とファッションに対する要求を満たすため、着脱可能な装飾用パネルを具えるＰＤＡが導入される。それによって使用者がそのＰＤＡのカラーやデザインを変えたいたび、装飾用パネルを外し、その要求に応じるほかの装飾用パネルを取り付けることができる。
【０００５】
図１を参照してください。図１は従来のＰＤＡ１０のハウジング３２に着脱可能パネル１５を取り付ける機構を表わす側面図である。着脱可能パネル１５は固定フック２５と少なくも一つのＬ字型結合フック２０を含んでなる。結合フック２０の下半部は着脱可能パネル１５に平行する。固定フック２５は水平的に矩形を呈し、結合フック２０とともに着脱可能パネル１５の同じ側にある。また、側面から見れば、固定フック２５は下底が比較的に長い台形を呈する。
【０００６】
ハウジング３２の外表面に凹部３４があり、凹部３４はハウジング３２の一端に延びる。凹部３４は着脱可能パネル１５の大きさと外形にしたがって設計され、固定穴２７と少なくも一つの結合穴２２を含んでなる。
【０００７】
結合穴２２は凹部３４にある穴であり、その外形と大きさはＬ字型結合フック２０を完全にはめ込ませるように設計される。凹部３４において、結合穴２２の周辺部分の外形は結合フック２０の延びた下半部と着脱可能パネル１５とに応じ、パネル１５を凹部３４の底部に固定する。固定穴２７は大きさと外形が固定フック２５を完全にはめ込ませるように設計される穴である。
【０００８】
着脱可能パネル１５は図１における矢印Ａが示す方向に沿って凹部３４に滑り込ませられてＰＤＡ１０に取り付けられる。滑り込ませる過程には、結合フック２０は結合穴２２にはめ込まれ、結合穴２２の周辺にある凹部表面をつかむ。結合フック２０が結合穴２２にはめ込まれる場合、固定フック２５の下方突出部が固定穴２７と合わせられずに当てはめられないため、弾性を持つ着脱可能パネル１５は上の方に変形する。そのため図１における矢印Ｂが示す方向に沿って着脱可能パネル１５の表面を下の方に押さなければならなく、着脱可能パネル１５を更に変形させ、固定フック２５の下半部を固定穴２７にはめ込まれるまで湾曲させる。注意すべきなのは、着脱可能パネル１５と凹部３４とはハウジング３２の一端に延びるため、凹部３４の縁は着脱可能パネル１５の横向き移動を防げず、結合フック２０が結合穴２２から外れるのも防げず、その代わりに固定フック２５と固定穴２７との結合により結合フック２０が結合穴２２から外れるのが防がれる。
【０００９】
ＰＤＡ１０のハウジング３２はその底部に凹部３４に接触するオープンホール３５がある。オープンホール３５はハウジング３２にあり、着脱可能パネル１５をＰＤＡ１０から外すものである。ペン先などの適当な道具の先端はハウジング３２と着脱可能パネル１５の間にあるオープンホール３５に挟まれることができる。その先端で着脱可能パネル１５を凹部３４に押すと、弾性がある着脱可能パネル１５は結合穴２２から結合フック２０を取り外せるまたは固定穴２７から固定フック２５を取り外せるように変形し、よって着脱可能パネル１５がＰＤＡ１０のハウジング３２から取り外される。
【００１０】
ＰＤＡ１０のハウジング３２に着脱可能パネル１５を着脱する従来の機構は、着脱可能パネル１５を緊密に固定するものである。しかし、その着脱過程には多重手順と、着脱可能パネル１５の変形や可能な損傷などの問題がある。より簡単でワンステップでパネルを着脱する機構は着脱可能パネル１５の損傷率を低め、使用者のカラーとデザインに対する選択を容易にさせる。それに、便利性の向上により売り上げを上げ、コストの低減を伴わせることができる。
【００１１】
【考案が解決しようとする課題】
この考案は前述の問題を解決するため、簡略化された着脱可能パネルをＰＤＡに取り付ける機構を提供することを課題とする。
【００１２】
【課題を解決するための手段】
この考案は、ＰＤＡハウジングと着脱可能パネルを含んでなる。ＰＤＡには着脱可能パネルを取り付けるためにそのパネルの形状にしたがって設計される凹部がある。該凹部に結合穴と孔がある。着脱可能パネルは結合フックと位置決め棒がある。
【００１３】
着脱可能パネルは縦方向に凹部に滑り込まれる。その滑り込む過程において、結合フックは結合穴にはめられて結合穴をつかむようにされる。結合フックと結合穴が完全に結合される場合、着脱可能パネルの弾性が垂直の位置決め棒を孔に差し込まれるようにさせる。該孔は着脱可能パネルの横向き移動を有効に防ぎ、結合フックは一時的にＰＤＡの着脱可能パネルを固定する。
【００１４】
ＰＤＡには更に位置決め棒に隣り合ったその凹部の一端にオープンホールがある。それにペン先を入れて位置決め棒を該孔から持ち上げることによって、着脱可能パネルは凹部に沿って滑り出され、結合フックを結合穴から外し、着脱可能パネルをＰＤＡから取り外すことができる。
【００１５】
【考案の実施の形態】
この考案は簡略化された着脱可能パネルをＰＤＡに取り付ける機構を提供するものであり、ＰＤＡハウジングと着脱可能パネルを含んでなる。ＰＤＡには着脱可能パネルを取り付けるためにそのパネルの形状にしたがって設計される凹部があり、該凹部には結合穴と孔がある。着脱可能パネルは結合フックと位置決め棒がある。着脱可能パネルは縦方向に凹部に滑り込まれ、その滑り込む過程において、結合フックは結合穴にはめられて結合穴をつかむようにされる。結合フックと結合穴が完全に結合される場合、着脱可能パネルの弾性が垂直の位置決め棒を孔に差し込まれるようにさせる。該孔は着脱可能パネルの横向き移動を有効に防ぎ、結合フックは一時的にＰＤＡの着脱可能パネルを固定する。ＰＤＡには更に位置決め棒に隣り合ったその凹部の一端にオープンホールがある。それにペン先を入れて位置決め棒を該孔から持ち上げることによって、着脱可能パネルは凹部に沿って滑り出され、結合フックを結合穴から外し、着脱可能パネルをＰＤＡから取り外すことができる。
【００１６】
かかる着脱可能パネルをＰＤＡに取り付ける機構の特徴を詳述するために、具体的な実施例を挙げ、図示を参照にして以下に説明する。
【００１７】
（第１の実施例）
図２を参照するに、図２はこの考案による取り付ける機構の側面図である。この考案の好ましい実施例において、ＰＤＡ４０は位置決め棒５５と少なくも一つのＬ字型結合フック５０を含んでなる。結合フック５０の下半部は着脱可能パネル４５とほぼ平行し、位置決め棒５５の位置と反対する方向に向いている。位置決め棒５５は円柱であり垂直に着脱可能パネル４５から突出し、結合フック５０と着脱可能パネル４５の同一側にある。
【００１８】
着脱可能パネル４５の厚さは凹部６４の深さとほぼ一致する。着脱可能パネル４５の材質は限られず、金属またはプラスティックなど、緊密結合に合う硬度と着脱過程における小幅湾曲に耐える弾性がある材質は許容される。もっとも、着脱可能にされる限り、着脱可能パネル４５はさまざまなカラーとパターン、または浮き彫りを含むことができる。
【００１９】
ハウジング６２はその外表面にある凹部６４を含んでなる。この実施例において、外表面はハウジング６２の一側にあるが、この限りではない。凹部６４は着脱可能パネル４５の形状にしたがって設計され、少なくも一つの結合穴５２と孔５７を含んでなる。
【００２０】
結合穴５２は凹部６４における窪みまたは穴であり、その大きさはＬ字型結合フック５０を完全に入れるようにされる。結合穴５２の周辺にある凹部６４の縁は結合フック５０の延びる下半部と着脱可能パネル４５に合わせられ、着脱可能パネル４５を凹部の６４の底部に密着させる。
【００２１】
孔５７は窪みまたは穴であり、その大きさと外形は位置決め棒５５の大きさと外形に相当する。結合フック５０が結合穴５２に完全にはめられる場合、着脱可能パネル４５の弾性により位置決め棒５５は孔５７に差し込まれる。孔５７に差し込まれる位置決め棒５５は着脱可能パネル４５の横向き移動を有効に防ぐことができる。結合フック５０と結合穴５２との結合は着脱可能パネル４５がハウジング６２から外れることを有効に防ぐことができる。
【００２２】
着脱可能パネル４５は図２における矢印Ａが示す方向に沿って、凹部６４に沿ってＰＤＡ４０に滑り込まれて取り付けられる。その滑り込む過程において、従来の技術と同じように、結合フック５０は結合穴５２にはめ込まれ、結合穴５２の周辺にある凹部６４の縁をつかむ。しかし、結合フック５０が完全に結合穴５２にはめられる場合、弾性のある着脱可能パネル４５は位置決め棒５５を孔５７に差し込まれるようにし、着脱可能パネル４５をハウジング６２に一時的に固定する。
【００２３】
図３と図４はその取り付ける過程における各部分の設置と関連性の理解を容易にする説明図である。
【００２４】
この考案によるＰＤＡ４０と従来のＰＤＡ１０との主な相違点は、位置決め棒５５と孔５７の設計をもって固定フック２５と固定穴２７の設計を取り替えることにある。従来のＰＤＡ１０において、着脱可能パネル１５は固定フック２５と固定穴２７との間の凹部３４を有効につかむ。着脱可能パネル１５は凹部３４の縁に取り囲まれないため、着脱可能パネル１５の移動に対して、着脱可能パネル１５をハウジング３２から外すために、そのつかみは必要である。また、そのつかみも着脱可能パネル１５を従来のＰＤＡ１０から取り外しにくくする。それに、該台形固定フック２５の斜辺は凹部３４の底部表面の下方から突出し、固定フック２５が固定穴２７から簡単に外れるのを防ぐ。
【００２５】
この考案は位置決め棒５５と孔５７を利用するのは、凹部６５をつかむためではなく、着脱可能パネル４５の横向き移動を防ぐためである。凹部６５の側縁も着脱可能パネル４５の横向き移動を更に防止することができる。着脱可能パネル４５の横向き移動に対する防止がある限り、結合フック５０は取り外す過程を妨げずに、着脱可能パネル４５をつかみＰＤＡ４０に密着させる機能を発揮できる。
【００２６】
ＰＤＡ４０のハウジング６２は更にオープンホール６５を含んで、オープンホール６５は凹部６５にもっとも近い孔５７の一端に隣り合う。オープンホール６５はハウジング６２における窪みまたは穴であり、ＰＤＡ４０から着脱可能パネル４５を取り外す過程を簡略化するものである。ペン先などの適当な先細の道具７０はオープンホール６５に差し込まれることができる。着脱可能パネル４５の弾性により先細の道具７０が着脱可能パネル４５の位置決め棒５５にもっとも近い一端を持ち上げ、よって位置決め棒５５が孔５７から外れる。位置決め棒５５が孔５７から外れるとき、図２における矢印Ａと相対する方向に沿って着脱可能パネル４５を滑り出し、それをハウジング６２から取り外すことができる。着脱可能パネル４５が図２における矢印Ａと相対する方向に沿って滑り出されるとき、結合フック５０は結合穴５２から外れ、取り外す過程を終わらせる。
【００２７】
（第２の実施例）
この考案の第２の実施例はＰＤＡ４０に類似しているが、ＰＤＡ４０と異なった点は、ハウジング６２に凹部６４がないことにある。結合穴５０と、孔５７と、オープンホール６５とはハウジング６２の表面にあることによって、着脱可能パネル４５はハウジング６２から突出する。着脱可能パネル４５を着脱する方法はＰＤＡ４０における方法と同じである。
【００２８】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲の範囲に属するものとする。
【００２９】
【考案の効果】
従来の技術と比べ、この考案は簡略化されてワンステップで着脱可能パネル４５をＰＤＡ４０に取り付ける機構を提供する。この考案において凹部６４に沿って着脱可能パネル４５が適所につくまで着脱可能パネル４５を滑り込むだけですむが、従来の着脱可能パネル１５は二段階が必要であり、まず着脱可能パネル１５を滑り込み、次に着脱可能パネル１５を着脱可能パネル１５の変形が固定フック２５が固定穴２５にはめ込まれるまで押さなければならない。
【００３０】
着脱可能パネル４５の取り外しも簡略化される。この考案において着脱可能パネル４５の弾性は先細の道具７０が位置決め棒５５を孔５７から持ち上げるようにし、よって着脱可能パネル４５が外される。一方、従来の技術において着脱可能パネル１５は結合穴２２から結合フック２０を取り外せるように変形し、更に固定穴２７から固定フック２５を取り外せるように変形しなければならない。したがって、この考案は機構を著しく簡略化し、使用者の利便性を向上させる。
【図面の簡単な説明】
【図１】従来のＰＤＡのハウジングに着脱可能パネルを取り付ける機構を表わす側面図である。
【図２】この考案によるＰＤＡのハウジングに着脱可能パネルを取り付ける機構を表わす側面図である。
【図３】この考案によるＰＤＡのハウジングに着脱可能パネルを取り付ける機構を表わす立体図である。
【図４】この考案によるＰＤＡのハウジングに着脱可能パネルを取り付ける機構を表わす立体図である。
【符号の説明】
１０、４０　　　　　　ＰＤＡ
１５、４５　　　　　　着脱可能パネル
２０、５０　　　　　　結合フック
２２、５２　　　　　　結合穴
２５　　　　　　　　　固定フック
２７　　　　　　　　　固定穴
３２、６２　　　　　　ハウジング
３４、６４　　　　　　凹部
３５、６５　　　　　　オープンホール
５５　　　　　　　　　位置決め棒
５７　　　　　　　　　孔
７０　　　　　　　　　先細の道具
【図１】
0003097092.tif 000003
【図２】
0003097092.tif 000004
【図３】
0003097092.tif 000005
【図４】
0003097092.tif 000006